(57)【要約】【課題】採光空間を十分に確保でき、採光が不必要なときは、扉部を閉じ、種々の小物類を収納するキャビネットとして使用できる、採光窓付きキャビネットを提供する。【解決手段】外壁Ｗを貫通する空間に設置される枠体１において、該枠体１の屋外側に面する背面部を透光性材料３で覆い、室内側に開口する開口部に扉部２１、２２を着脱自在、かつ、開閉自在に取付けるとともに、上記枠体内部に棚板４１、４２が設けられ、キャビネットとされた採光窓付き収納キャビネットＡ。好ましくは、上記枠体１の内部を仕切る中仕切り板５が着脱自在に立設される。【選択図】図３
2008156859.tif 000002
【特許請求の範囲】
【請求項１】
外壁を貫通する空間に設置される枠体において、該枠体の屋外側に面する背面部を透光性材料で覆い、室内側に開口する開口部に扉部を開閉自在に取付けるとともに、上記枠体内部に棚板が設けられ、キャビネットとされた採光窓付き収納キャビネット。
【請求項２】
上記枠体の内部を仕切る中仕切り板が着脱自在に立設された請求項１に記載の採光窓付き収納キャビネット。
【請求項３】
上記扉部の室内側の前面にミラーが取付けられた請求項１に記載の採光窓付き収納キャビネット。
【請求項４】
上記透光性材料がガラスである請求項１に記載の採光窓付き収納キャビネット。
【発明の詳細な説明】
【技術分野】
【０００１】
本発明は、キャビネットに関する。さらに詳しくは、採光ができるとともに、採光が必要でないときは、小物類の収納スペースとして利用できる採光窓付きキャビネットに関する。
【背景技術】
【０００２】
従来、室内スペースを狭くすることなく、物品の収納スペースを確保し、しかも、採光もできるようにするため、外壁を貫通する空間に設置される窓枠付き収納装置が種々提案されている。例えば、下記特許文献１には、前後に開放する箱体を外壁を貫通する空間に設置し、その箱体を構成する上枠と下枠との中間部に横方向に仕切り板を取付けて空間を上下に仕切り、一方の空間を窓空間とし、他方の空間を収納空間とした窓枠付き収納ユニットが提案されている。
【０００３】
上記窓枠付き収納ユニットの背面は屋外に面して位置し、既設の窓枠に取り付けられ、窓空間を通して採光するとともに、上記収納空間の背面側には、収納物を紫外線から防御するように遮光性、断熱性を有する遮蔽材が取付けられている。そして、箱体自体の強度および窓枠と箱体との連結強度、および窓枠と壁との連結強度が向上され、さらに、規格窓枠の使用が可能な窓枠付き収納ユニットを提供できる効果がある旨、記載されている。
【特許文献１】特開平９−４２０６号公報（第１〜４頁、第１図、第２図、第４図）
【発明の開示】
【発明が解決しようとする課題】
【０００４】
しかしながら、上記特許文献１に記載の窓枠付き収納ユニットは、箱体を上下２段に区分けして用い、一方の空間を窓空間としているため、窓空間が狭くなり、十分に採光できないという問題がある。
【０００５】
本発明は、このような問題を解決して、採光空間を十分に確保できるとともに、採光が不必要なときは、扉部を閉じ、種々の小物類を収納するキャビネットとして使用できる、採光窓付きキャビネットを提供することを、その課題とする。
【課題を解決するための手段】
【０００６】
上記課題を解決するために、本発明においては、つぎのような技術的手段を講じている。すなわち、請求項１に記載の発明によれば、外壁を貫通する空間に設置される枠体において、該枠体の屋外側に面する背面部を透光性材料で覆い、室内側に開口する開口部に扉部を開閉自在に取付けるとともに、上記枠体内部に棚板が設けられ、キャビネットとされた採光窓付き収納キャビネットが提供される。
【０００７】
請求項２に記載の採光窓付きキャビネットは、請求項１に記載の発明に加えて、上記枠体の内部を仕切る中仕切り板が着脱自在に立設されることが好ましい。
【０００８】
請求項３に記載の採光窓付きキャビネットは、請求項１に記載の発明に加えて、上記扉部の室内側の前面にミラーが取付けられることが好ましい。
【０００９】
請求項４に記載の採光窓付きキャビネットは、請求項１に記載の発明に加えて、上記透光性材料としては、ガラス、または、アクリル板等の透明性合成樹脂等をあげることができるが、ガラスが好ましく用いられる。
【発明の効果】
【００１０】
請求項１に記載の発明にかかる採光窓付きキャビネットは上記のとおりであり、外壁を貫通する空間に設置される枠体の屋外側に面する背面部を透光性材料で覆い、室内側に開口する開口部に扉部を開閉自在に取付け、上記枠体内部には棚板が架設されているため、室内スペースを狭くすることなく、物品の収納スペースを確保し、採光も可能とすることができる。また、扉部と棚板とを取り外すことによって、枠体を残し、この枠体を採光窓とすることができる。
【００１１】
請求項２に記載の採光窓付きキャビネットは上記のとおりであり、請求項１の採光窓付きキャビネットの有する効果に加え、上記枠体の内部を仕切る中仕切り板が着脱自在に立設されているため、上記中仕切り板と棚板とによって仕切られ、区分された収納空間に、種々の小物類を分けて収納することができる。また、中仕切り板を取り外し、棚板も取り外すことによって、枠体を残し、この枠体を採光窓とすることができる。
【００１２】
請求項３に記載の採光窓付きキャビネットは上記のとおりであり、請求項１の採光窓付きキャビネットの有する効果に加え、上記扉部の室内側の前面にミラーを取付けることにより、採光窓付きキャビネットをミラーキャビネットとすることができる。
【００１３】
請求項４に記載の採光窓付きキャビネットは上記のとおりであり、請求項１の採光窓付きキャビネットの有する効果に加え、上記透光性材料を光の透過率のよいガラスから構成することにより、透明性が高く、また、外観にすぐれたものとすることができる。
【発明を実施するための最良の形態】
【００１４】
以下、本発明の実施形態について図面を参照して詳細に説明する。図１は、本発明にかかる採光窓付き収納キャビネットＡを示す斜視図である。図１に示されているように、枠体１は上枠１１、下枠１２、左枠１３、右枠１４から構成され、枠体１の屋外側に面する背面は透光性材料３としてのガラスで覆われている。また、室内側に開口する開口部には上記左枠１３にヒンジ６によって、片開き式扉部２２が開閉自在、かつ、着脱自在に取付けられるとともに、枠体１の内部を仕切る中仕切り板５と右枠１４とには、両開き式扉部２１が開閉自在、かつ、着脱自在に取付けられている。
【００１５】
図１において、上枠１１と下枠１２との間には上記中仕切り板５が、ダボとダボ孔構造等公知の方法により、着脱自在に立設されている。また、上記中仕切り板５と右枠１４との間には、棚板４１が架設され、種々の小物類を収納するようにされている。さらに、上記中仕切り板５と左枠１３との間にも、棚板４２が架設され、種々の小物類を収納するようにされている。そして、枠体１、両開き式扉部２１と片開き式扉部２２、透光性材料３、棚板４１、棚板４２等を含む全体は採光窓付き収納キャビネットＡを構成する。
【００１６】
図２は、外壁Ｗを貫通する空間に設置された上記採光窓付き収納キャビネットＡの図１におけるＸ−Ｘ線に沿う断面図である。図２において、両開き式扉部２１は閉めた状態で示されている。図２に示されているように、枠体１の屋外側に面する背面部は透光性材料３としてのガラスで覆われるとともに、枠体１の内部は中仕切り板５と棚板４１とによって仕切られ、収納空間とされている。上記のようにして区分された収納空間には、種々の小物類を分けて収納することができる。
【００１７】
図３は、両開き式扉部２１と片開き式扉部２２とを閉じた状態における採光窓付き収納キャビネットＡを室内側から見た斜視図である。両開き式扉部２１および片開き式扉部２２は、前面に設けられた把手７によって開閉自在とされ、また、ヒンジ６の固定部と回動部とを着脱自在とすることによって、両開き式扉部２１および片開き式扉部２２自体を着脱自在とすることができる。
【００１８】
図３に示されているように、採光窓付き収納キャビネットＡは、外観は単なる収納キャビネットであり、上記したように、小物類を収納する収納スペースとして機能する。したがって、採光が不必要な夜間や、雨天で日が射さない場合等は、図３に示すように、収納キャビネットとしてデザイン性よく、室内に配置することができる。採光を望む場合は、図１に示すように、両開き式扉部２１と片開き式扉部２２とを開くことによって、背面部から採光手段３を通して採光することが可能となり、採光窓付き収納キャビネットＡは、通常の窓と同じように機能する。
【００１９】
また、中仕切り板５が着脱自在とされているため、収納キャビネットではなく、採光窓としての使用を望むときは、上記両開き式扉部２１および片開き式扉部２２と共に中仕切り板５を外し、棚板４１、棚板４２等を取り外せば、枠体１のみが残り、採光窓として機能する。
【００２０】
一方、洗面所等において、採光用の窓は設けられているが、洗面化粧台のミラーキャビネットを設置するスペースがないような場合には、上記扉部にミラーを取付けミラーキャビネットとすることができる。図４は、上記図３に示す採光窓付き収納キャビネットＡの両開き式扉部２１の室内側の前面にミラー８を取付けた状態を示す正面図である。
【００２１】
図４に示すように、両開き式扉部２１の室内側の前面にミラー８を取付けることにより、採光窓付き収納キャビネットＡを洗面化粧台のミラーキャビネットＢとして使用することが可能となる。図５は、ミラーキャビネットＢを洗面ボウル９の上に設け洗面化粧台とした状態を示す正面図である。図５に示されているように、ミラーを使って洗面や化粧をし、また、把手７を使って扉部を開閉することにより、内部に収納された洗面、化粧用の小物類を使い勝手よく、取出し、収納することができる。
【００２２】
なお、図４においては、両開き式扉部２１の室内側の前面にミラー８が取付けられているが、片開き式扉部２２の室内側の前面にもミラー８を取付け、採光窓付き収納キャビネットＡの前面全体を鏡張りとしてもよい。また、背面部を覆うガラスに着色し、背面色にバラエティを持たせてもよい。このように、本発明は種々設計変更可能であり、特許請求の範囲を逸脱しない限り、いずれも本発明の技術的範囲に属する。
【図面の簡単な説明】
【００２３】
【図１】本発明にかかる採光窓付き収納キャビネットを示す斜視図である。
【図２】外壁を貫通する空間に設置した採光窓付き収納キャビネットの図１におけるＸ−Ｘ線に沿う断面図である。
【図３】扉を閉じた状態の採光窓付き収納キャビネットを室内側から見た斜視図である。
【図４】採光窓付き収納キャビネットをミラーキャビネットとして使用した状態を示す正面図である。
【図５】ミラーキャビネットを洗面ボウルの上に設け洗面化粧台とした状態を示す正面図である。
【符号の説明】
【００２４】
Ａ          本発明にかかる採光窓付き収納キャビネット
Ｂ          ミラーキャビネット
Ｗ          外壁
１          枠体
１１        上枠
１２        下枠
１３        左枠
１４        右枠
２１        両開き式扉部
２２        片開き式扉部
３          透光性材料
４１        棚板
４２        棚板
５          中仕切り板
６          ヒンジ
７          把手
８          ミラー
９          洗面ボウル
【図１】
2008156859.tif 000003
【図２】
2008156859.tif 000004
【図３】
2008156859.tif 000005
【図４】
2008156859.tif 000006
【図５】
2008156859.tif 000007